(57)【要約】【課題】携帯電話などの移動通信端末を用いて、車両の衝突事故の前後の周囲の状況を記録することができる周囲情報記録システムおよび周囲情報記録方法を提供する。【解決手段】カメラ６は、周囲の画像の入力を連続して実行し、入力された画像を充電器２へ送信する。加速度センサ２０は、衝撃を検出する。第２の制御部２６は、衝撃を検出するまでは、受信した画像を外部メモリ２８にエンドレス方式で記録する。第２の制御部２６は、衝撃を検出した後は、外部メモリ２８内にある衝撃を検出した第１の時点から、第１の時点から第１の所定時間だけ遡った第２の時点までの第１の期間の画像が上書きされないように保護するとともに、第１の時点から、第１の時点から第２の所定時間だけ経過した第３の時点までの第２の期間において、受信した画像を外部メモリ２８に記録した後、外部メモリ２８への記録を停止する。【選択図】図２
2011097169.tif 000002
【特許請求の範囲】
【請求項１】
移動通信端末と、前記移動通信端末と着脱可能に接続される保持装置とを備えた周囲情報記録システムであって、
前記移動通信端末は、
周囲の画像および／または音声を入力するための入力部と、
第１のデータ入出力端子と、
前記入力部を指示して、前記画像および／または音声の入力を連続して実行させ、前記入力された画像および／または音声を前記第１のデータ入出力端子から前記保持装置へ送信する第１の制御部とを備え、
前記保持装置は、
衝撃を検出する検出部と、
前記第１のデータ入出力端子と接続可能な第２のデータ入出力端子と、
メモリと、
前記第２のデータ入出力端子で受信した画像および／または音声を前記メモリに記録する第２の制御部とを備え、
前記第２の制御部は、前記衝撃を検出するまでは、前記第２のデータ入出力端子で受信した画像および／または音声を前記メモリにエンドレス方式で記録し、
前記衝撃を検出した後は、前記メモリ内にある前記衝撃を検出した第１の時点から、前記第１の時点から第１の所定時間だけ遡った第２の時点までの第１の期間の画像および／または音声が上書きされないように保護するとともに、前記第１の時点から、前記第１の時点から第２の所定時間だけ経過した第３の時点までの第２の期間において、前記受信した画像および／または音声を前記メモリに記録した後、前記メモリへの記録を停止する、周囲情報記録システム。
【請求項２】
前記移動通信端末は、
音声を出力するスピーカを備え、
前記第２の制御部は、前記衝撃を検出した場合に、衝撃があったことを通知する制御信号を前記第２のデータ入出力端子から送信し、
前記第１の制御部は、前記第１のデータ入出力端子から前記制御信号を受信した場合には、スピーカから警告音を発生させる、請求項１記載の周囲情報記録システム。
【請求項３】
移動通信端末と、前記移動通信端末と着脱可能に接続される保持装置とを備えた周囲情報記録システムであって、
前記移動通信端末は、
周囲の画像および／または音声を入力する入力部と、
第１のデータ入出力端子と、
第１のメモリと、
前記入力部を指示して、前記画像および／または音声の入力を連続して実行させ、前記入力された画像および／または音声を、前記第１のメモリへ記録するか、または前記第１のデータ入出力端子から前記保持装置へ送信する第１の制御部とを備え、
前記保持装置は、
衝撃を検出する検出部と、
前記第１のデータ入出力端子と接続可能な第２のデータ入出力端子と、
第２のメモリと、
前記第２のデータ入出力端子で受信した画像および／または音声を前記第２のメモリに記録する第２の制御部とを備え、
前記第２の制御部は、前記衝撃を検出するまでは、前記第２のデータ入出力端子で受信した画像および／または音声を前記第２のメモリにエンドレス方式で記録し、
前記第２の制御部は、前記衝撃を検出した後は、衝撃があったことを通知する制御信号を前記第２のデータ入出力端子から送信し、その後、前記第２のメモリ内にある前記衝撃が検出された第１の時点から、前記第１の時点から第１の所定時間だけ遡った第２の時点までの第１の期間の画像および／または音声を前記第２のデータ入出力端子から送信し、
前記第１の制御部は、前記制御信号を受信するまでは、前記画像および／または音声を、前記第１のデータ入出力端子から前記保持装置へ送信し、
前記第１の制御部は、前記制御信号を受信した後は、前記第１のデータ入出力端子を通じて受信した前記第１の期間の画像および／または音声を前記第１のメモリに記録して上書きされないように保持するとともに、前記制御信号を受信した第３の時点から、前記第３の時点から第２の所定時間だけ経過した第４の時点までの第２の期間において、前記画像および／または音声を前記第１のメモリに記録した後、前記第１のメモリへの記録を停止する、周囲情報記録システム。
【請求項４】
前記第１の制御部は、前記第１のデータ入出力端子から前記制御信号を受信した場合には、スピーカから警告音を発生させる、請求項３記載の周囲情報記録システム。
【請求項５】
前記第１の制御部は、前記第１のメモリに記録された画像および／または音声を含むメールを所定の宛先へ自動送信する、請求項３または４記載の周囲情報記録システム。
【請求項６】
移動通信端末と、前記移動通信端末と着脱可能に接続される保持装置とを備えた周囲情報記録システムであって、
前記移動通信端末は、
周囲の画像および／または音声を入力するための入力部と、
第１のデータ入出力端子と、
前記入力部を指示して、前記画像および／または音声の入力を連続して実行させ、前記入力された画像および／または音声を前記第１のデータ入出力端子から前記保持装置へ送信する第１の制御部とを備え、
前記保持装置は、
ユーザの指示を受付ける操作入力部と、
前記第１のデータ入出力端子と接続可能な第２のデータ入出力端子と、
メモリと、
前記第２のデータ入出力端子で受信した画像および／または音声をメモリに記録する第２の制御部とを備え、
前記第２の制御部は、前記操作入力部を通じてワンタイム方式での記録の指示があるまでは、前記受信した画像および／または音声を前記メモリにエンドレス方式で記録し、
前記操作入力部を通じてワンタイム方式での記録の指示があった後には、前記メモリ内にある前記指示があった第１の時点から、前記第１の時点から第１の所定時間だけ遡った第２の時点までの第１の期間の画像および／または音声が上書きされないように保護し、さらに前記第１の時点から、前記第１の時点から第２の所定時間だけ経過した第３の時点までの第２の期間において、前記受信した画像および／または音声を前記メモリに記録した後、前記メモリへの記録を停止する、周囲情報記録システム。
【請求項７】
前記保持装置は、さらに、
ドライブレコード用プログラムを記録するためのプログラム用メモリを備え、
前記第２の制御部は、前記ドライブレコード用プログラムを前記第２のデータ入出力端子から送信し、
前記移動通信端末が前記第１のデータ入出力端子で受信した前記ドライブレコード用プログラムを実行することによって、前記第１の制御部の機能を実現される、請求項１〜６のいずれか１項に記載の周囲情報記録システム。
【請求項８】
前記移動通信端末は、
第１の電源端子と、
前記第１の電源端子で電力を受けて、前記移動通信端末の内部の装置に給電する第１の電源部とを備え、
前記保持装置は、
第１の電源端子と接続可能な第２の電源端子と、
前記第１の電源端子から電力を外部へ供給する第１の電源部とを備えた、請求項１〜７のいずれか１項に記載の周囲情報記録システム。
【請求項９】
移動通信端末の第１のデータ入出力端子と、保持装置の第２のデータ入出力端子とを接続することによって周囲情報を記録する方法であって、
前記移動通信端末が、周囲の画像および／または音声の入力を連続して実行し、前記入力された画像および／または音声を前記第１のデータ入出力端子から前記保持装置へ送信するステップと、
前記保持装置が、衝撃を検出するステップと、
前記保持装置が、前記衝撃を検出するまでは、前記第２のデータ入出力端子で受信した画像および／または音声をメモリにエンドレス方式で記録するステップと、
前記保持装置が、前記衝撃を検出した後は、前記メモリ内にある前記衝撃を検出した第１の時点から、前記第１の時点から第１の所定時間だけ遡った第２の時点までの第１の期間の画像および／または音声が上書きされないように保護するとともに、前記第１の時点から、前記第１の時点から第２の所定時間だけ経過した第３の時点までの第２の期間において、前記受信した画像および／または音声を前記メモリに記録した後、前記メモリへの記録を停止するステップとを備えた、周囲情報記録方法。
【発明の詳細な説明】
【技術分野】
【０００１】
本発明は、周囲情報記録システムおよび周囲情報記録方法に関し、特に、車両に設置されて、車両内または車両外の周囲の画像および／または音声を記録する周囲情報記録システムおよび周囲情報記録方法に関する。
【背景技術】
【０００２】
従来から、自動車を運転中に発生した事故の状況を事後に調査するために、ドライブレコーダが市販化され、タクシーや運送用トラックなどに装備されている。
【０００３】
ところで、専用のドライブレコーダは、価格が高い上に、ドライブレコード以外の機能を備えないために、一般車両への普及が遅れている。そこで、携帯電話にドライブレコード機能を持たせたシステムが提案されている。
【０００４】
たとえば、特許文献１には、カメラ機能を搭載した携帯電話を車両用携帯電話スタンドに設置し、急ブレーキまたは衝突の衝撃を検知すると、携帯電話のシャッターボタンを作動させる技術が開示されている。
【先行技術文献】
【特許文献】
【０００５】
【特許文献１】特開２００５−０９４７９２号公報
【発明の概要】
【発明が解決しようとする課題】
【０００６】
しかしながら、特許文献１では、衝撃があったときに、携帯電話のシャッターボタンを作動させるので、事故の発生前の画像が記録されない。そのため、事故の発生原因を特定することができないなどの問題がある。
【０００７】
それゆえに、本発明の目的は、携帯電話などの移動通信端末を用いて、車両の衝突事故の前後の周囲の状況を記録することができる周囲情報記録システムおよび周囲情報記録方法を提供することである。
【課題を解決するための手段】
【０００８】
上記課題を解決するために、本発明は、移動通信端末と、移動通信端末と着脱可能に接続される保持装置とを備えた周囲情報記録システムであって、移動通信端末は、周囲の画像および／または音声を入力するための入力部と、第１のデータ入出力端子と、入力部を指示して、画像および／または音声の入力を連続して実行させ、入力された画像および／または音声を第１のデータ入出力端子から保持装置へ送信する第１の制御部とを備え、保持装置は、衝撃を検出する検出部と、第１のデータ入出力端子と接続可能な第２のデータ入出力端子と、メモリと、第２のデータ入出力端子で受信した画像および／または音声をメモリに記録する第２の制御部とを備え、第２の制御部は、衝撃を検出するまでは、第２のデータ入出力端子で受信した画像および／または音声をメモリにエンドレス方式で記録し、衝撃を検出した後は、メモリ内にある衝撃を検出した第１の時点から、第１の時点から第１の所定時間だけ遡った第２の時点までの第１の期間の画像および／または音声が上書きされないように保護するとともに、第１の時点から、第１の時点から第２の所定時間だけ経過した第３の時点までの第２の期間において、受信した画像および／または音声をメモリに記録した後、メモリへの記録を停止する。
【０００９】
好ましくは、移動通信端末は、音声を出力するスピーカを備え、第２の制御部は、衝撃を検出した場合に、衝撃があったことを通知する制御信号を第２のデータ入出力端子から送信し、第１の制御部は、第１のデータ入出力端子から制御信号を受信した場合には、スピーカから警告音を発生させる。
【００１０】
本発明は、移動通信端末と、移動通信端末と着脱可能に接続される保持装置とを備えた周囲情報記録システムであって、移動通信端末は、周囲の画像および／または音声を入力する入力部と、第１のデータ入出力端子と、第１のメモリと、入力部を指示して、画像および／または音声の入力を連続して実行させ、入力された画像および／または音声を、第１のメモリへ記録するか、または第１のデータ入出力端子から保持装置へ送信する第１の制御部とを備え、保持装置は、衝撃を検出する検出部と、第１のデータ入出力端子と接続可能な第２のデータ入出力端子と、第２のメモリと、第２のデータ入出力端子で受信した画像および／または音声を第２のメモリに記録する第２の制御部とを備え、第２の制御部は、衝撃を検出するまでは、第２のデータ入出力端子で受信した画像および／または音声を第２のメモリにエンドレス方式で記録し、第２の制御部は、衝撃を検出した後は、衝撃があったことを通知する制御信号を第２のデータ入出力端子から送信し、その後、第２のメモリ内にある衝撃が検出された第１の時点から、第１の時点から第１の所定時間だけ遡った第２の時点までの第１の期間の画像および／または音声を第２のデータ入出力端子から送信し、第１の制御部は、制御信号を受信するまでは、画像および／または音声を、第１のデータ入出力端子から保持装置へ送信し、第１の制御部は、制御信号を受信した後は、第１のデータ入出力端子を通じて受信した第１の期間の画像および／または音声を第１のメモリに記録して上書きされないように保持するとともに、制御信号を受信した第３の時点から、第３の時点から第２の所定時間だけ経過した第４の時点までの第２の期間において、画像および／または音声を第１のメモリに記録した後、第１のメモリへの記録を停止する。
【００１１】
好ましくは、第１の制御部は、第１のデータ入出力端子から制御信号を受信した場合には、スピーカから警告音を発生させる。
【００１２】
好ましくは、第１の制御部は、第１のメモリに記録された画像および／または音声を含むメールを所定の宛先へ自動送信する。
【００１３】
本発明は、移動通信端末と、移動通信端末と着脱可能に接続される保持装置とを備えた周囲情報記録システムであって、移動通信端末は、周囲の画像および／または音声を入力するための入力部と、第１のデータ入出力端子と、入力部を指示して、画像および／または音声の入力を連続して実行させ、入力された画像および／または音声を第１のデータ入出力端子から保持装置へ送信する第１の制御部とを備え、保持装置は、ユーザの指示を受付ける操作入力部と、第１のデータ入出力端子と接続可能な第２のデータ入出力端子と、メモリと、第２のデータ入出力端子で受信した画像および／または音声をメモリに記録する第２の制御部とを備え、第２の制御部は、操作入力部を通じてワンタイム方式での記録の指示があるまでは、受信した画像および／または音声をメモリにエンドレス方式で記録し、操作入力部を通じてワンタイム方式での記録の指示があった後には、メモリ内にある指示があった第１の時点から、第１の時点から第１の所定時間だけ遡った第２の時点までの第１の期間の画像および／または音声が上書きされないように保護し、さらに第１の時点から、第１の時点から第２の所定時間だけ経過した第３の時点までの第２の期間において、受信した画像および／または音声をメモリに記録した後、メモリへの記録を停止する。
【００１４】
好ましくは、保持装置は、さらに、ドライブレコード用プログラムを記録するためのプログラム用メモリを備え、第２の制御部は、ドライブレコード用プログラムを第２のデータ入出力端子から送信し、移動通信端末が第１のデータ入出力端子で受信したドライブレコード用プログラムを実行することによって、第１の制御部の機能を実現される。
【００１５】
好ましくは、移動通信端末は、第１の電源端子と、第１の電源端子で電力を受けて、移動通信端末の内部の装置に給電する第１の電源部とを備え、保持装置は、第１の電源端子と接続可能な第２の電源端子と、第１の電源端子から電力を外部へ供給する第１の電源部と備える。
【００１６】
本発明は、移動通信端末の第１のデータ入出力端子と、保持装置の第２のデータ入出力端子とを接続することによって周囲情報を記録する方法であって、移動通信端末が、周囲の画像および／または音声の入力を連続して実行し、入力された画像および／または音声を第１のデータ入出力端子から保持装置へ送信するステップと、保持装置が、衝撃を検出するステップと、保持装置が、衝撃を検出するまでは、第２のデータ入出力端子で受信した画像および／または音声をメモリにエンドレス方式で記録するステップと、保持装置が、衝撃を検出した後は、メモリ内にある衝撃を検出した第１の時点から、第１の時点から第１の所定時間だけ遡った第２の時点までの第１の期間の画像および／または音声が上書きされないように保護するとともに、第１の時点から、第１の時点から第２の所定時間だけ経過した第３の時点までの第２の期間において、受信した画像および／または音声をメモリに記録した後、メモリへの記録を停止するステップとを備える。
【発明の効果】
【００１７】
本発明によれば、携帯電話などの移動通信端末を用いて、車両の衝突事故の前後の周囲の状況を記録することができる。
【図面の簡単な説明】
【００１８】
【図１】本発明の実施形態の周囲情報記録システムの概観を表わす図である。
【図２】本発明の第１の実施形態の周囲情報記録システムの構成を表わす図である。
【図３】本発明の第１の実施形態の周囲情報記録システムの動作手順を表わすフローチャートである。
【図４】本発明の第２の実施形態の周囲情報記録システムの動作手順を表わすフローチャートである。
【図５】本発明の第３の実施形態の周囲情報記録システムの動作手順を表わすフローチャートである。
【図６】本発明の第４の実施形態の周囲情報記録システムの構成を表わす図である。
【図７】本発明の第４の実施形態の周囲情報記録システムの動作手順を表わすフローチャートである。
【発明を実施するための形態】
【００１９】
以下、本発明の実施形態について図面を参照して説明する。
［第１の実施形態］
（概観）
図１は、本発明の実施形態の周囲情報記録システムの概観を表わす図である。
【００２０】
図１（ａ）は、周囲情報記録システムを一方向から見た図である。図１（ｂ）は、周囲情報記録システムを他方向から見た図である。
【００２１】
図１（ａ）および（ｂ）を参照して、充電器２は、携帯電話１を保持する。充電器２は、ケーブル４６を介して車両のシガレットライタソケットの電源に接続される。また、携帯電話１のカメラ６によって、カメラ６の前方の周囲が撮影される。
【００２２】
（構成）
図２は、本発明の第１の実施形態の周囲情報記録システムの構成を表わす図である。
【００２３】
携帯電話１は、第１の電源部１８と、第１の制御部１０と、内部メモリ８と、無線部４と、カメラ６と、スピーカ１２と、マイク１４と、操作部１６と、液晶表示部１７と、第１の電源端子４３と、第１のデータ入出力端子４１を備える。
【００２４】
第１の電源部１８は、電源端子から入力される充電器２からの電力を、携帯電話１内の各構成要素へ供給する。
【００２５】
内部メモリ８は、ドライブレコード用プログラムなどを記憶する。
無線部４は、電話による通信およびメールの送受信を行なう。
【００２６】
カメラ６は、前方の周囲を撮影して画像データを生成する。カメラ６は、連続撮影時には、たとえば、１秒ごとに１フレームの割合で連続撮影する。
【００２７】
スピーカ１２は、通話時などに、相手側から受信した音声を出力する。
マイク１４は、通話時などに、ユーザの音声を入力する。
【００２８】
操作部１６は、キーボタンやタッチパネルなどからなり、ユーザからの操作入力を受付ける。
【００２９】
液晶表示部１７は、受信したメールの内容、およびメール作成画面などを表示する。
第１のデータ入出力端子４１は、第２のデータ入出力端子４２と接続可能であり、充電器２との間でデータの授受を行なう。
【００３０】
第１の電源端子４３は、第２の電源端子４４と接続可能であり、充電器２から供給される電力を第１の電源部１８へ送る。
【００３１】
第１の制御部１０は、内部プログラムに記憶されたドライブレコード用プログラムを実行することによって、その機能が実現される。
【００３２】
充電器２は、第２の電源部２４と、外部メモリ２８と、加速度センサ２０と、第２の制御部２６と、内部メモリ２２と、第２の電源端子４４と、第２のデータ入出力端子４２とを備える。
【００３３】
第２の電源部２４は、車内のシガレットライタソケットの電源と接続され、第２の電源端子４４を通じて、携帯電話１に電力を供給する。
【００３４】
外部メモリ２８は、携帯電話１のカメラ４から出力された画像データを記録する。
加速度センサ２０は、衝撃の大きさを表わす加速度を検出する。
【００３５】
第２の制御部２６は、加速度が所定値未満の場合には、書込みアドレスが終点に達した時点でそのアドレスを始点に戻すエンドレス方式によって、携帯電話１から送られてくる画像データを外部メモリ２８に記録する。第２の制御部２６は、加速度が所定値以上となった後には、ワンタイム方式によって、携帯電話１から送られてくる画像データを外部メモリ２８に記録する。
【００３６】
内部メモリ２２は、第２の制御部２６の制御のためのデータなどを記憶する。
第２のデータ入出力端子４２は、第１のデータ入出力端子４１と接続可能であり、携帯電話１との間でデータの授受を行なう。
【００３７】
第２の電源端子４４は、第１の電源端子４３と接続可能であり、電力を携帯電話１へ送る。
【００３８】
（動作）
図３は、本発明の第１の実施形態の周囲情報記録システムの動作手順を表わすフローチャートである。
【００３９】
図３を参照して、まず、ユーザが、車内に設置された充電器２の第２のデータ入出力端子４２と携帯電話１の第１のデータ入出力端子４１とを接続すると、充電器２の第２の制御部２６は、接続を検知して（ステップＳ１０１でＹＥＳ）、第２のデータ入出力端子４２を通じて自装置のＩＤを携帯電話１へ出力する（ステップＳ１０２）。
【００４０】
次に、携帯電話１の第１の制御部１０は、第１のデータ入出力端子４１を通じてＩＤを受信すると、受信したＩＤが充電器２のＩＤであることを識別する（ステップＳ１０３）。
【００４１】
次に、携帯電話１の第１の制御部１０は、内部メモリ８内のドライブレコード用プログラムを実行することによって、次ステップ以降の機能を実現する（ステップＳ１０４）。
【００４２】
次に、第１の制御部１０からの指示によって、携帯電話１のカメラ６は、連続的に周囲を撮影して画像データの生成を開始する。このとき、ユーザが、カメラ６の向きを車内の内側に設定した場合には、車内が撮影され、カメラ６の向きを車内の外側に設定した場合には、車外が撮影される（ステップＳ１０５）。
【００４３】
次に、携帯電話１の第１の制御部１０は、生成された画像データの第１のデータ入出力端子４１を通じた送信を開始する（ステップＳ１０６）。
【００４４】
次に、充電器２の第２の制御部２６は、第２のデータ入出力端子４２を通じて画像データの受信を開始する（ステップＳ１０７）。
【００４５】
次に、携帯電話１の第１の制御部１０は、マナーモードに設定されており、かつ電話の着信があった場合には（ステップＳ１０８でＹＥＳ）、充電器２に対して着信によるバイブレーションがあったことを知らせる第１の制御信号を第１のデータ入出力端子４１を通じて送信する（ステップＳ１０９）。
【００４６】
充電器２の第２の制御部２６は、加速度センサ２０から出力される加速度が所定値未満であり、または第１の制御信号を既に受信している場合には（ステップＳ１１０でＮＯ）、第２のデータ入出力端子４２を通じて受信した画像データを外部メモリ２８にエンドレス方式で記録する（ステップＳ１１１）。
【００４７】
一方、充電器２の第２の制御部２６は、加速度センサ２０から出力される加速度が所定値以上であり、かつ第１の制御信号を未だ受信していない場合には（ステップＳ１１０でＹＥＳ）、第２のデータ入出力端子４２を通じて受信した画像データを外部メモリ２８にワンタイム方式で記録する。すなわち、充電器２の第２の制御部２６は、外部メモリ２８内にある加速度が所定値以上となった第１の時点から、第１の時点から第１の所定時間（たとえば１５秒）だけ遡った第２の時点までの第１の期間の画像データを上書きされないように保護し、さらに第１の時点から、第１の時点から第２の所定時間（たとえば１５秒）だけ経過した第３の時点までの第２の期間において、受信した画像データを外部メモリ２８に記録した後、外部メモリ２８への記録を停止する（ステップＳ１１２）。
【００４８】
充電器２の第２のデータ入出力端子４２と携帯電話１の第１のデータ入出力端子４１との接続が分断されると、（ステップＳ１１３、Ｓ１１４でＹＥＳ）、充電器２および携帯電話１は、処理を終了する。
【００４９】
以上のように、第１の実施形態の周囲情報記録システムによれば、加速度センサによって衝撃が検出される前は、携帯電話で生成された周囲の画像データがエンドレス方式で充電器に記録され、衝撃が検出された後には、衝撃の前の所定時間内の画像データを保持するとともに、衝撃の後の所定時間の画像データが充電器に記録される。これによって、衝撃の前後の周囲の状況を充電器に記録することができる。
【００５０】
［第２の実施形態］
本発明の実施形態は、第１の実施形態と以下の点で相違する。
【００５１】
充電器２の内部メモリ２２が、ドライブレコード用プログラムを記憶し、充電器２と携帯電話１が接続されると、充電器２から携帯電話１へドライブレコード用プログラムが転送される。
【００５２】
また、加速度が所定値以上なった後には、第１の制御部１０は、所定時間のカメラ６の画像を携帯電話１内の内部メモリ８に記録するとともに、第２の制御部２６は、所定時間前の画像データを携帯電話１へ返送する。
【００５３】
（動作）
図４は、本発明の第２の実施形態の周囲情報記録システムの動作手順を表わすフローチャートである。
【００５４】
図４を参照して、まず、ユーザが、車内に設置された充電器２の第２のデータ入出力端子４２と携帯電話１の第１のデータ入出力端子４１とを接続すると、充電器２の第２の制御部２６は、接続を検知して（ステップＳ２０１でＹＥＳ）、第２のデータ入出力端子４２を通じて内部メモリ２２に記憶されているドライブレコーダモード用プログラムを携帯電話１へ出力する（ステップＳ２０２）。
【００５５】
次に、携帯電話１の第１の制御部１０は、第１のデータ入出力端子４１を通じてドライブレコーダモード用プログラムを受信すると、内部メモリ８へ記憶する（ステップＳ２０３）。
【００５６】
次に、携帯電話１の第１の制御部１０は、内部メモリ８内のドライブレコード用プログラムを実行することによって、次ステップ以降の機能を実現する（ステップＳ２０４）。
【００５７】
次に、第１の制御部１０からの指示によって、携帯電話１のカメラ６は、連続的に周囲を撮影して画像データの生成を開始する。このとき、ユーザが、カメラ６の向きを車内の内側に設定した場合には、車内が撮影され、カメラ６の向きを車内の外側に設定した場合には、車外が撮影される（ステップＳ２０５）。
【００５８】
次に、携帯電話１の第１の制御部１０は、生成された画像データの第１のデータ入出力端子４１を通じた送信を開始する（ステップＳ２０６）。
【００５９】
次に、充電器２の第２の制御部２６は、第２のデータ入出力端子４２を通じて画像データの受信を開始する（ステップＳ２０７）。
【００６０】
次に、携帯電話１の第１の制御部１０は、マナーモードに設定されており、かつ電話の着信があった場合には（ステップＳ２０８でＹＥＳ）、充電器２に対して着信によるバイブレーションがあったことを知らせる第１の制御信号を第１のデータ入出力端子４１を通じて送信する（ステップＳ２０９）。
【００６１】
充電器２の第２の制御部２６は、加速度センサ２０から出力される加速度が所定値未満であり、または第１の制御信号を既に受信している場合には（ステップＳ２１０でＮＯ）、第２のデータ入出力端子４２を通じて受信した画像データを外部メモリ２８にエンドレス方式で記録する（ステップＳ２１１）。
【００６２】
一方、充電器２の第２の制御部２６は、加速度センサ２０から出力される加速度が所定値以上であり、かつ第１の制御信号を未だ受信していない場合には（ステップＳ２１０でＹＥＳ）、衝撃があったことを通知する第２の制御信号を第２のデータ入出力端子４２を通じて送信する（ステップＳ２１２）。
【００６３】
次に、充電器２の第２の制御部２６は、外部メモリ２８内にある加速度が所定値以上となった第１の時点から、第１の時点から第１の所定時間（たとえば１５秒）だけ遡った第２の時点までの第１の期間の画像データを第２のデータ入出力端子４２を通じて送信する（ステップＳ２１３）。
【００６４】
携帯電話１の第１の制御部１０は、第１のデータ入出力端子４１を通じて、第２の制御信号を受信すると（ステップＳ２１４でＹＥＳ）、スピーカ１２から警告音を出力させる（ステップＳ２１５）。
【００６５】
次に、携帯電話１の第１の制御部１０は、第１のデータ入出力端子４１を通じて受信した第１の期間の画像データを受信して、内部メモリ８に記録するともに、それを上書きされないように保持する（ステップＳ２１６）。
【００６６】
次に、携帯電話１の第１の制御部１０は、第２の制御信号を受信した第３の時点から、第３の時点から第２の所定時間（たとえば１５秒）だけ経過した第４の時点までの第２の期間において、入力された画像データを送信せずに、内部メモリ８に記録した後、カメラ６による連続撮影を終了させ、内部メモリ８への記録を停止する（ステップＳ２１７）。
【００６７】
次に、携帯電話１の第１の制御部１０は、メール送信プログラムを起動し、内部メモリ８に記録された第１の期間および第２の期間の画像データを含むメールを所定の宛先へ自動送信する（ステップＳ２１８）。
【００６８】
充電器２の第２のデータ入出力端子４２と携帯電話１の第１のデータ入出力端子４１との接続が分断されると、（ステップＳ２１９、Ｓ２２０でＹＥＳ）、充電器２および携帯電話１は、処理を終了する。
【００６９】
以上のように、第２の実施形態の周囲情報記録システムによれば、加速度センサによって衝撃が検出される前は、携帯電話１で撮影されてできる画像がエンドレス方式で充電器に記録され、衝撃が検出された後には、衝撃の前の所定時間内の画像データが携帯電話に返送されて保持されるとともに、衝撃の後の所定時間の画像データが携帯電話１に記録される。これによって、衝撃の前後の周囲の状況を携帯電話に記録することができる。
【００７０】
［第３の実施形態］
本発明の実施形態が、第１の実施形態と相違する点は、以下である。
【００７１】
すなわち、本発明の実施形態では、マナーモードに設定されている場合には、着信があったときに加速度センサ２０が反応しないように、マナーモードを解除して、携帯電話１がバイブレーションしないようにする。
【００７２】
（動作）
図５は、本発明の第３の実施形態の周囲情報記録システムの動作手順を表わすフローチャートである。
【００７３】
図５を参照して、まず、ユーザが、車内に設置された充電器２の第２のデータ入出力端子４２と携帯電話１の第１のデータ入出力端子４１とを接続すると、充電器２の第２の制御部は、接続を検知して（ステップＳ３０１でＹＥＳ）、第２のデータ入出力端子４２を通じて自装置のＩＤを携帯電話１へ出力する（ステップＳ３０２）。
【００７４】
次に、携帯電話１の第１の制御部１０は、第１のデータ入出力端子４１を通じてＩＤを受信すると、受信したＩＤが充電器２のＩＤであることを識別する（ステップＳ３０３）。
【００７５】
次に、携帯電話１の第１の制御部１０は、内部メモリ８内のドライブレコード用プログラムを実行することによって、次ステップ以降の機能を実現する（ステップＳ３０４）。
【００７６】
次に、携帯電話１の第１の制御部１０は、携帯電話１がマナーモードに設定されている場合には（ステップＳ３０５でＹＥＳ）、マナーモードを解除する（ステップＳ３０６）。
【００７７】
次に、第１の制御部１０からの指示によって、携帯電話１のカメラ６は、連続的に周囲を撮影して画像データの生成を開始する。このとき、ユーザが、カメラ６の向きを車内の内側に設定した場合には、車内が撮影され、カメラ６の向きを車内の外側に設定した場合には、車外が撮影される（ステップＳ３０７）。
【００７８】
次に、携帯電話１の第１の制御部１０は、生成された画像データの第１のデータ入出力端子４１を通じた送信を開始する（ステップＳ３０８）。
【００７９】
次に、充電器２の第２の制御部２６は、第２のデータ入出力端子４２を通じて画像データの受信を開始する（ステップＳ３０９）。
【００８０】
充電器２の第２の制御部２６は、加速度センサ２０から出力される加速度が所定値未満である場合には（ステップＳ３１０でＮＯ）、第２のデータ入出力端子４２を通じて受信した画像データを外部メモリ２８にエンドレス方式で記録する（ステップＳ３１１）。
【００８１】
一方、充電器２の第２の制御部２６は、加速度センサ２０から出力される加速度が所定値以上である場合には（ステップＳ３１０でＹＥＳ）、第２のデータ入出力端子４２を通じて受信した画像データを外部メモリ２８にワンタイム方式で記録する。すなわち、充電器２の第２の制御部２６は、外部メモリ２８内にある加速度が所定値以上となった第１の時点から、第１の時点から第１の所定時間（たとえば１５秒）だけ遡った第２の時点までの第１の期間の画像データを上書きされないように保護し、さらに第１の時点から、第１の時点から第２の所定時間（たとえば１５秒）だけ経過した第３の時点までの第２の期間において、受信した画像データを外部メモリ２８に記録した後、外部メモリ２８への記録を停止する（ステップＳ３１２）。
【００８２】
充電器２の第２のデータ入出力端子４２と携帯電話１の第１のデータ入出力端子４１との接続が分断されると、（ステップＳ３１３、Ｓ３１４でＹＥＳ）、充電器２および携帯電話１は、処理を終了する。
【００８３】
以上のように、第３の実施形態の周囲情報記録システムによれば、マナーモードに設定されている場合には、マナーモードを解除して、携帯電話が着信によってバイブレーションしないようにするので、携帯電話のマナーモードによるバイブレーションを、事故による衝撃と誤って判断するのを防止することができる。
【００８４】
［第４の実施形態］
図６は、本発明の第４の実施形態の周囲情報記録システムの構成を表わす図である。
【００８５】
図６の周囲情報記録システムが、図２の周囲情報記録システムと相違する点は、以下である。
【００８６】
すなわち、図６の周囲情報記録システムは、加速度センサ２０に代えて、操作スイッチ５１を備える。
【００８７】
操作スイッチ５１がオフの場合には、エンドレス方式でカメラ６の画像が記録される。操作スイッチ５１がオンにされると、ワンタイム方式でカメラ６の画像が記録される。
【００８８】
（動作）
図７は、本発明の第４の実施形態の周囲情報記録システムの動作手順を表わすフローチャートである。
【００８９】
図７を参照して、まず、ユーザが、車内に設置された充電器５２の第２のデータ入出力端子４２と携帯電話１の第１のデータ入出力端子４１とを接続すると、充電器５２の第２の制御部２６は、接続を検知して（ステップＳ４０１でＹＥＳ）、第２のデータ入出力端子４２を通じて自装置のＩＤを携帯電話１へ出力する（ステップＳ４０２）。
【００９０】
次に、携帯電話１の第１の制御部１０は、第１のデータ入出力端子４１を通じてＩＤを受信すると、受信したＩＤが充電器５２のＩＤであることを識別する（ステップＳ４０３）。
【００９１】
次に、携帯電話１の第１の制御部１０は、内部メモリ８内のドライブレコード用プログラムを実行することによって、次ステップ以降の機能を実現する（ステップＳ４０４）。
【００９２】
次に、第１の制御部１０からの指示によって、携帯電話１のカメラ６は、連続的に周囲を撮影して画像データの生成を開始する。このとき、ユーザが、カメラ６の向きを車内の内側に設定した場合には、車内が撮影され、カメラ６の向きを車内の外側に設定した場合には、車外が撮影される（ステップＳ４０５）。
【００９３】
次に、携帯電話１の第１の制御部１０は、生成された画像データの第１のデータ入出力端子４１を通じた送信を開始する（ステップＳ４０６）。
【００９４】
次に、充電器５２の第２の制御部２６は、第２のデータ入出力端子４２を通じて画像データの受信を開始する（ステップＳ４０７）。
【００９５】
充電器５２の第２の制御部２６は、操作スイッチ５１を通じてユーザからワンタイム方式での記録の変更指示を受けていない場合には（ステップＳ４０８でＮＯ）、第２のデータ入出力端子４２を通じて受信した画像データを外部メモリ２８にエンドレス方式で記録する（ステップＳ４０９）。
【００９６】
一方、充電器５２の第２の制御部２６は、操作スイッチ５１を通じてユーザからワンタイム方式での記録の変更指示を受けた場合にはステップＳ４０８でＹＥＳ）、第２のデータ入出力端子４２を通じて受信した画像データを外部メモリ２８にワンタイム方式で記録する。すなわち、充電器５２の第２の制御部２６は、外部メモリ２８内にある加速度が所定値以上となった第１の時点から、第１の時点から第１の所定時間（たとえば１５秒）だけ遡った第２の時点までの第１の期間の画像データを上書きされないように保護し、さらに第１の時点から、第１の時点から第２の所定時間（たとえば１５秒）だけ経過した第３の時点までの第２の期間において、受信した画像データを外部メモリ２８に記録した後、外部メモリ２８への記録を停止する（ステップＳ４０９）。
【００９７】
充電器５２の第２のデータ入出力端子４２と携帯電話１の第１のデータ入出力端子４１との接続が分断されると、（ステップＳ４１１、Ｓ４１２でＹＥＳ）、充電器５２および携帯電話１は、処理を終了する。
【００９８】
以上のように、第４の実施形態の周囲情報記録システムによれば、加速度センサを用いなくても、ユーザの指示によって、エンドレス方式での記録からワンタイム方式での記録に変更することができる。
【００９９】
（変形例）
本発明は、上記の実施形態に限定されるものではなく、たとえば以下のような変形例も含む。
【０１００】
（１）  転送機能
本発明の実施形態では、加速度が所定値以上となるまで、または、操作スイッチがオンとなるまでは、カメラでの画像は、充電器の外部メモリに記録することとしたが、これに限定するものではない。
【０１０１】
カメラの画像を充電器の外部メモリに転送せずに、常に、携帯電話側の内部メモリに記録するものとしてもよい。
【０１０２】
（２）  音声記録
本発明の実施形態では、事故の状況を事後に調査するためにカメラの画像データを記録するものとしたが、画像データに代えて、または画像データとともに音声データを記録するものとしてもよい。
【０１０３】
（３）  メーラ
本発明の第２の実施形態では、メール送信プログラムを起動し、内部メモリに記録された第１の期間および第２の期間の画像データ（事故前後の画像データ）を含むメールを所定の宛先へ自動送信することとしたが、これに限定するものではない。
【０１０４】
たとえば、ユーザによる操作部１６からの指示にしたがって、第１の制御部が、メール作成プログラム（メーラ）を起動し、ユーザが、宛先とメール文を入力し、添付データとして内部メモリに記録された事故前後の画像データを指定することによって、メールが作成されて、ユーザが送信を指定することによって、作成されたメールが送信されるものとしてもよい。
【０１０５】
（４）  加速度センサ
本発明の第１〜第３の実施形態では、加速度センサによって衝撃があったことを検出したが、これに限定するものではない。たとえば、衝撃によって、携帯電話の電源端子と充電器の電源端子の接続が切断された場合には、充電器から充電電流が供給されなくなることを利用して、携帯電話における充電器からの充電電流の大きさを測定し、この充電電流の大きさが所定値以下となった場合に、衝撃があったことを検出するような検出部を設けてもよい。
【０１０６】
（５）  充電器
本発明の実施形態では、携帯電話を保持するとともに、カメラの画像データを記録するクレードルとして、充電器を用いたが、これに限定するものではなく、電力を供給する機能を有しないものであってもよい。
【０１０７】
（６）  ドライブモード
ユーザが、ドライブモードにおいて、実行、または実行を停止する機能を予め設定しておき、携帯電話を充電器に接続したときに、携帯電話がこのドライブモードに設定されるものとしてもよい。たとえば、ユーザは、ドライブモードにおいて、着信があったときには、バイブレーション、光、画像、および音声による通知を一切行なわないように設定することができるようにしてもよい。
【０１０８】
（７）  携帯電話への通知
本発明の第１、第３、第４の実施形態では、加速度が所定値以上となったことを充電器から携帯電話に通知しなかったが、通知することとしてもよく、携帯電話は、通知を受けた後、カメラによる撮影を終了することとしてもよい。
【０１０９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１０】
１  携帯電話、２，５２  充電器、４  無線部、６  カメラ、８  内部メモリ、１０  第１の制御部、１２  スピーカ、１４  マイク、１６  操作部、１７  液晶表示部、１８  電源部、２０  加速度センサ、２２  内部メモリ、２４  電源部、２６  第２の制御部、２８  外部メモリ、４６  ケーブル、５１  操作スイッチ。
【図１】
2011097169.tif 000003
【図２】
2011097169.tif 000004
【図３】
2011097169.tif 000005
【図４】
2011097169.tif 000006
【図５】
2011097169.tif 000007
【図６】
2011097169.tif 000008
【図７】
2011097169.tif 000009